(57)【要約】      （修正有）【課題】ドアを所望の開き角度付近で自由に停止可能であると共に、閉止時及び最大解放時にその状態を良好に保持できること。【解決手段】直列に配列されたヒンジ管１ａ、１ｂ、１ｃ、１ｄと、ヒンジ管１ａ、１ｃに結合した二枚のヒンジ片２ａ及びヒンジ管１ｂ、１ｄに結合したヒンジ片２ｂと、ヒンジ管１ａ、１ｂ、１ｃ、１ｄに貫通状態に配されるヒンジピン３と、最上部の二つのヒンジ管１ａ、１ｂの間、最下部の二つのヒンジ管１ｃ、１ｄの間に配した回転調節部４、４であって、上方のヒンジ管１ａ、１ｃの下端と下方のヒンジ管１ｂ、１ｄの上端とに各々対面する向きに固設し、相互の磁気吸着力により、設定角度毎にそれ以外の開閉角の範囲より強いヒンジ片２ａ、２ｂ間の回転停止力を生じるように、それぞれ磁気配列した二つの磁気環部７、８とで構成したものである。【選択図】図１
0003134832.tif 000002
【実用新案登録請求の範囲】
【請求項１】
直列に配列された複数のヒンジ管と、該複数のヒンジ管の側方に配され、交互に異なるヒンジ管と結合した二枚のヒンジ片と、該複数のヒンジ管に貫通状態に配されるヒンジピンとからなるドア用ヒンジ装置に於いて、
直列に並んだ複数のヒンジ管の各上下に隣接する端部間の内の全部又は一部に、二つのヒンジ片間を開閉する際に、設定角度毎に他の開閉角の範囲より強いヒンジ片間の回転停止力を生じるように回転を調節する回転調節部を構成し、
該回転調節部を、上方のヒンジ管の下端と下方のヒンジ管の上端とに各々対面する向きに固設した磁気環部であって、それらの相互作用により、前記設定角度毎にそれ以外の開閉角の範囲より強いヒンジ片間の回転停止力を生じるように、それぞれ磁気配列した二つの磁気環部で構成したドア用ヒンジ装置。
【請求項２】
前記対面する磁気環部の一方を、他の磁気環部と対面する面にＮ極を定角度間隔でドーナツ状に配列した構成とし、他方を、該一方の磁気環部と対面する面にＳ極を定角度間隔でドーナツ状に配列した構成とした請求項１のドア用ヒンジ装置。
【請求項３】
前記対面する磁気環部の双方を、他の磁気環部と対面する面にＮ極とＳ極とを交互かつ定角度間隔でドーナツ状に配列した構成とした請求項１のドア用ヒンジ装置。
【請求項４】
前記磁気環部を構成するＮ極の定角度間隔ドーナツ状配列を、表裏面方向に着磁した正面から見てセクター状の複数の磁石片をＮ極を正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成し、
前記磁気環部を構成するＳ極の定角度間隔ドーナツ状配列を、表裏面方向に着磁した正面から見てセクター状の複数の磁石片をＳ極を正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成してなる請求項２のドア用ヒンジ装置。
【請求項５】
前記磁気環部を構成するＮ極とＳ極との交互かつ定角度間隔のドーナツ状配列を、表裏面方向に着磁した正面から見てセクター状の複数の磁石片をＳ極とＮ極とを交互に正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成してなる請求項３のドア用ヒンジ装置。
【請求項６】
前記パイプ部材の正面側端部を、対面する磁気環部の正面相互の接触を防止する接触防止スペースを形成すべく、前記磁石片の正面より前方に突出させた請求項４又は５のドア用ヒンジ装置。
【請求項７】
前記回転調節部を構成する二つの磁気環部の一方を、固定側のヒンジ管の下端に下向きに固設し、他方を、該固定側のヒンジ管に上下隣接する可動側のヒンジ管の上端に上向きに固設することとした請求項１、２、３、４、５又は６のドア用ヒンジ装置。
【考案の詳細な説明】
【技術分野】
【０００１】
本考案は、建物の外部との間の開口部、建物内の部屋と廊下の間の開口部その他の開口部に取り付けられるドアの取付用に用いられるドア用ヒンジ装置、特に、ドアの閉止時及び最大解放時にその状態を良好に保持しておくことができ、加えて開閉時にその開閉途中でドアを概ね所望の開き角度に保持しておくことができるドア用ヒンジ装置に関する。
【背景技術】
【０００２】
このようなドアの動きに関連する装置としてはクローザーと称される装置があるが、これは、ドアの開閉の際の衝撃を和らげ、ドアやその枠部材の損傷を回避したり、ドアを通過する人の安全性を確保したりすることにその目的があると思われ、ドアを所望の開く角度で保持しておくような作用はない。またクローザーはヒンジとは別にセットされる装置であり、構成も全く異なる。
【０００３】
ヒンジ自体で前記のような作用を備えたものは、ドア用のそれとしては見あたらない。この種の機能を持つヒンジとしては、コンソールのヒンジ構造（特許文献１）という技術が提案されている。
【０００４】
これは、車両に固定した基部と該基部に設けた支持部と、回動軸機構を介して前記支持部に回転自在に枢支される回動移動体部とを有するコンソールのヒンジ構造であって、前記回動軸機構は対峙する前記支持部側の一側面と前記回動移動体部側の他側面を有し、前記対峙する面の一方に、他方に設けられた磁性材若しくは磁石と磁力によって回転抵抗を付与する磁石を有することを特徴とするコンソールのヒンジ構造である。
【０００５】
従ってコンソールのアームレストの軸に前記ヒンジ構造を用いると、対面する磁石と磁性体又は磁石との磁気吸引力により回転に抵抗が生じ、所望の位置で停止させることが可能であるように思われる。しかし構造上、ドアのような比較的重量の大きな物に適合するような強力な磁気的吸引力を持たせ、単位角度毎に停止させ得るようにするのは困難であると思われる。
【０００６】
【特許文献１】特開２００５―３４９９３６号公報
【考案の開示】
【考案が解決しようとする課題】
【０００７】
本考案は、以上に述べた従来技術の問題点を解決し、比較的重量のある建物のドアを開閉する際に、通過する人の都合に応じて、所望の開き角度付近で自由に停止させることが可能であると共に、閉止時及び最大解放時にその状態を良好に保持しておくことができるドア用ヒンジ装置を提供することを解決の課題とする。
【課題を解決するための手段】
【０００８】
本考案の１は、直列に配列された複数のヒンジ管と、該複数のヒンジ管の側方に配され、交互に異なるヒンジ管と結合した二枚のヒンジ片と、該複数のヒンジ管に貫通状態に配されるヒンジピンとからなるドア用ヒンジ装置に於いて、
直列に並んだ複数のヒンジ管の各上下に隣接する端部間の内の全部又は一部に、二つのヒンジ片間を開閉する際に、設定角度毎に他の開閉角の範囲より強いヒンジ片間の回転停止力を生じるように回転を調節する回転調節部を構成し、
該回転調節部を、上方のヒンジ管の下端と下方のヒンジ管の上端とに各々対面する向きに固設した磁気環部であって、それらの相互作用により、前記設定角度毎にそれ以外の開閉角の範囲より強いヒンジ片間の回転停止力を生じるように、それぞれ磁気配列した二つの磁気環部で構成したドア用ヒンジ装置である。
【０００９】
本考案の２は、本考案の１のドア用ヒンジ装置に於いて、前記対面する磁気環部の一方を、他の磁気環部と対面する面にＮ極を定角度間隔でドーナツ状に配列した構成とし、他方を、該一方の磁気環部と対面する面にＳ極を定角度間隔でドーナツ状に配列した構成としたものである。
【００１０】
本考案の３は、本考案の１のドア用ヒンジ装置に於いて、前記対面する磁気環部の双方を、他の磁気環部と対面する面にＮ極とＳ極とを交互かつ定角度間隔でドーナツ状に配列した構成としたものである。
【００１１】
本考案の４は、本考案の２のドア用ヒンジ装置に於いて、前記磁気環部を構成するＮ極の定角度間隔ドーナツ状配列を、表裏面方向に着磁した正面から見てセクター状の複数の磁石片をＮ極を正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成し、
前記磁気環部を構成するＳ極の定角度間隔ドーナツ状配列を、表裏面方向に着磁した正面から見てセクター状の複数の磁石片をＳ極を正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成してなるものである。
【００１２】
本考案の５は、本考案の３のドア用ヒンジ装置に於いて、前記磁気環部を構成するＮ極とＳ極との交互かつ定角度間隔のドーナツ状配列を、表裏面方向に着磁した正面から見てセクター状の複数の磁石片をＳ極とＮ極とを交互に正面に向け、かつ隣接する相互間に非磁性のスペーサ部材を介在させつつ前記定角度間隔でドーナツ状に配列し、更にその周側をパイプ部材で抱持し、裏面側にドーナツ状底板を配して構成してなるものである。
【００１３】
本考案の６は、本考案の４又は５のドア用ヒンジ装置に於いて、前記パイプ部材の正面側端部を、対面する磁気環部の正面相互の接触を防止する接触防止スペースを形成すべく、前記磁石片の正面より前方に突出させたものである。
【００１４】
本考案の７は、本考案の１、２、３、４、５又は６のドア用ヒンジ装置に於いて、前記回転調節部を構成する二つの磁気環部の一方を、固定側のヒンジ管の下端に下向きに固設し、他方を、該固定側のヒンジ管に上下隣接する可動側のヒンジ管の上端に上向きに固設することとしたものである。
【考案の効果】
【００１５】
本考案の１のドア用ヒンジ装置によれば、これをドアに取り付けて使用すると、前記回転調節部を構成する対面する二つの磁気環部の作用により、設定角度毎に強い回転停止力を生じるため、その停止時の角度をドアの閉止状態及び最大開放状態にそれぞれ対応させておけば、その状態を良好に保持し得、更にその中間の角度でも、前記設定角度毎に停止させることができる。
【００１６】
本考案の２の１のドア用ヒンジ装置によれば、前記設定角度を、簡単な構成で比較的狭い角度間隔に定めることが可能になる。またそれぞれの角度でのドアの停止を確実なものとすることができる。
【００１７】
本考案の３のドア用ヒンジ装置によれば、前記設定角度を、本考案の２と同一の角度に設定した場合、ドアの停止角度間隔は本考案の２の場合の二倍になるが、それぞれの停止角度に於けるその保持力は本考案の２の場合より強力なものとなる。
【００１８】
本考案の４及び５のドア用ヒンジ装置によれば、前記磁気環部を簡単にかつ確実に構成することができる。
【００１９】
本考案の６のドア用ヒンジ装置によれば、簡単な構成で、対面する磁気環部の接触を防止することができる。
【００２０】
本考案の７のドア用ヒンジ装置によれば、ドアを可動側のヒンジ片に取り付けることとすれば、ドアが若干引き上げられた状態となるため、その開放回転及び閉止回転の際に、その動作を若干軽快にすることが可能となる。
【考案を実施するための最良の形態】
【００２１】
考案を実施するための最良の形態を図面を参照しながら実施例に基づいて説明する。
【実施例１】
【００２２】
図１〜図５は実施例１を示している。この実施例１のドア用ヒンジ装置は、同図に示すように、直列に配列された４本のヒンジ管１ａ、１ｂ、１ｃ、１ｄと、その内の最上部と三番目の二つのヒンジ管１ａ、１ｃに結合した固定側のヒンジ片２ａと、二番目と最下部の二つのヒンジ管１ｂ、１ｄに結合した可動側のヒンジ片２ｂと、４本のヒンジ管１ａ、１ｂ、１ｃ、１ｄに貫通状態に配されるヒンジピン３と、最上部のヒンジ管１ａと２番目のヒンジ管１ｂとの間に配した回転調節部４と、３番目のヒンジ管１ｃと４番目のヒンジ管１ｄとの間に構成した回転調節部４とで構成したものである。
【００２３】
前記ヒンジ片２ａ、２ｂは、図１及び図２に示すように、一枚の板材で構成され、正面から見て概ね長方形状の部材である。それぞれ対象のドア又は開口部の枠部材に結合するためのネジ穴５、５…が開口してある。固定側のヒンジ片２ａのヒンジ管１ａ、１ｃとの結合は、丸めたヒンジ管１ａ、１ｃの一方の端部からそのまま延長したことによるものであり、ヒンジ片２ａの該当する側部から延長した帯片を丸めてヒンジ管１ａ、１ｃを構成したと云うこともできる。可動側のヒンジ片２ｂも同様であり、該ヒンジ片２ｂの該当する側部から延長した帯片を丸めてヒンジ管１ｂ、１ｄを構成したと云うこともできる。
【００２４】
前記ヒンジピン３は、前記し、かつ図１及び図２に示すように、ヒンジ管１ａ、１ｂ、１ｃ、１ｄに貫通状態に配したものであるが、当然、回動自在であり、その上端には円板状の鍔体６を配して抜け落ちないようにしてある。
【００２５】
図３〜図５に示すように、前記回転調節部４は、上下隣接する上方のヒンジ管１ａ、１ｃに結合した上方の磁気環部７と、下方のヒンジ管１ｂ、１ｄに結合した下方の磁気環部８とで構成したものである。
【００２６】
図４に示すように、上方の磁気環部７は、この実施例１では、１２個の磁石片７ａ、７ａ…をそのＳ極を正面に向け、即ち、下向きにしてドーナツ状に配列して構成する。各磁石片７ａは、表裏面方向に着磁した、正面から見てセクター状の永久磁石で構成したものである。また、これらの磁石片７ａ、７ａ…は、同図に示すように、隣接する相互間にプラスチックのスペーサ材７ｂを介在させながら環状に配列するものであり、更にそのように配列した磁石片７ａ、７ａ…の周囲は磁性金属の保持パイプ９ａで抱持し、更に裏面側は、図３に示すように、磁性金属のドーナツ状底板１０ａを配したものである。
【００２７】
各磁石片７ａは、隣接するスペーサ材７ｂ、保持パイプ９ａ及びドーナツ状底板１０ａとの間をいずれも接着剤で結合する。
【００２８】
下方の磁気環部８も上下の向きが反対になり、かつ正面を向くのが逆極性のＮ極であることを除けば、上方の磁気環部７と同様の構成である。これを略述すると、図５に示すように、下方の磁気環部８は、上方のそれと同様に、１２個の磁石片８ａ、８ａ…をそのＮ極を正面に向けて配列して構成する。各磁石片８ａは、磁石片７ａと同様の構成であり、これらの磁石片８ａ、８ａ…も、同図に示すように、隣接する相互間にプラスチックのスペーサ材８ｂを介在させながら環状に配列する。更にそのように配列した磁石片８ａ、８ａ…は磁性金属の保持パイプ９ｂで抱持し、更に裏面側は、図３に示すように、磁性金属のドーナツ状底板１０ｂを配したものである。
【００２９】
各磁石片８ａは、隣接するスペーサ材８ｂ、保持パイプ９ｂ及びドーナツ状底板１０ｂとの間をいずれも接着剤で結合する。
【００３０】
なおまた前記保持パイプ９ａ、９ｂは、図３に示すように、それぞれ磁石片７ａ、８ａの正面から若干突出させ、磁石片７ａ、７ａ…と磁石片８ａ、８ａ…との相互の正面では接せず、相互の保持パイプ９ａ、９ｂの先端間で接触するようにする。両磁気環部７、８の磁石片７ａ、７ａ…と８ａ、８ａ…の正面間に接触防止スペースが形成されるようにする訳である。なおこの接触防止スペースの間隔は、この実施例１では、概ね０．７ｍｍになるようにした。
【００３１】
また上方の磁気環部７のドーナツ状底板１０ａは、上方のヒンジ管１ａ、１ｃの下端に結合固定する。下方の磁気環部８のドーナツ状底板１０ｂは、下方のヒンジ管１ｂ、１ｄの上端に結合固定する。この実施例１ではこれらの結合固定は溶接によって行った。
なおこのとき、該ドーナツ状底板１０ａ、１０ｂとヒンジ管１ａ、１ｃ又は１ｂ、１ｄとの結合は、前記磁気環部７と８との磁石片７ａ、７ａ…、８ａ、８ａ…が、ヒンジ片２ａ、２ｂが、図２中実線で示すように、直線的に開いた場合に、相互のＮ極とＳ極とが対面状態になるように、位置関係を定めて行うものとする。
【００３２】
この実施例１のドア用ヒンジ装置は、以上のように構成したので、その固定側のヒンジ片２ａを建物開口部の縦枠にネジ等を用いて固設し、可動側のヒンジ片２ｂを同様にネジ等を用いてドアに結合して使用することができる。ドアには、その回動内端の上下又は上中下等、そのドアの重量やサイズに合わせて取付数を決めて取り付ける。
【００３３】
またこのドア用ヒンジ装置のドアへの取付方が、固定側のヒンジ片２ａと可動側のヒンジ片２ｂとが平面から見て直線状になるとき、ドアが閉じた状態になるようになっている場合は、そのようにドアを閉じた状態では、前記したように、二つの回転調節部４、４の各上方の磁気環部７の磁石片７ａ、７ａ…の正面のＳ極と、下方の磁気環部８の磁石片８ａ、８ａ…の正面のＮ極とが完全に対面状態となるため、相互の磁気吸引力が強くなり、その状態が維持され易くなる。
【００３４】
ドアを開閉させる場合は、前記のように、上下の磁気環部７、８は各々１２個の磁石片７ａ、７ａ…、８ａ、８ａ…を環状に配列して構成したものであるため、３０度の角度間隔毎に停止させ易くなっている。従ってドアを開く場合も閉じる場合も開閉途中で停止させておきたい場合は、概ね所望の開き角度付近でその開き状態を停止させておくことができる。
【００３５】
また閉じる場合は、完全に閉じる直前から磁気環部７、８の相互の磁石片７ａ、７ａ…、８ａ、８ａ…が磁気吸引し合い、スムーズな閉止状態が得られ、開閉操作する人のその操作が不完全であっても自動的に確実な閉止状態に導かれ、閉止後はその状態が維持されることになる。
【００３６】
更にこの実施例１では、可動側のヒンジ片２ｂは、下方の磁気環部８側に結合しており、該磁気環部８には上方の磁気環部７による磁気的な引き上げ力が作用しているため、このドア用ヒンジ装置の２番目のヒンジ管１ｂと３番目のヒンジ管１ｃとは相互に強い接触を生じることが無く、それ故、ドアの開閉操作が軽快になる利点もある。
【実施例２】
【００３７】
図６〜図８は実施例２を示している。この実施例２のドア用ヒンジ装置は、同図に示すように、実施例１とは、前記回転調節部４の上方の磁気環部７と、下方の磁気環部８との磁気配列が異なるのみでその他の構成は全て同一である。用いる磁石片７ａ、７ａ…、８ａ、８ａ…も同様である。異なる部材は一つも用いていない。以下に異なる構成部分である磁気配列に関してのみ述べる。
【００３８】
図７に示すように、上方の磁気環部７は、この実施例２では、１２個の磁石片７ａ、７ａ…のＳ極とＮ極とを交互に正面に向けてドーナツ状に配列する。この配列は単にセクター状の永久磁石の表裏を反転しつつ配列することで可能である。前記のように、磁気環部７は、これ以外については実施例１のそれと全く同様である。
【００３９】
下方の磁気環部８も同様である。図８に示すように、磁石片８ａ、８ａ…の表裏を交互に反転させながらドーナツ状に配列し、表面にＮ極とＳ極とが交互に並ぶ円環状の配列を構成する。磁気環部８に関してその他の点は実施例１のそれと全く同様である。
【００４０】
この実施例２のドア用ヒンジ装置は、以上のように構成したので、基本的には全く実施例１のそれと同様に使用することができるが、停止可能な角度間隔が６０度と実施例１のそれの２倍となる点が異なる。
【００４１】
また上下の磁気環部７、８の相互に対面するＮ極とＳ極とは、相互に次の異極と対面するためには同極の前面を通過しなければならないため、停止角度に於ける停止状態がより確実になる利点がある。
【図面の簡単な説明】
【００４２】
【図１】実施例１のドア用ヒンジ装置の正面図。
【図２】図１のＡ−Ａ線断面図。
【図３】回転調節部の拡大縦断面図。
【図４】上方の磁気環部の底面図。
【図５】下方の磁気環部の平面図。
【図６】実施例２の回転調節部の縦断面図。
【図７】上方の磁気環部の底面図。
【図８】下方の磁気環部の平面図。
【符号の説明】
【００４３】
１ａ、１ｂ、１ｃ、１ｄ  ヒンジ管
２ａ  固定側のヒンジ片
２ｂ  可動側のヒンジ片
３    ヒンジピン
４    回転調節部
５    ネジ穴
６    鍔体
７    上方の磁気環部
７ａ  磁石片
７ｂ  スペーサ材
８    下方の磁気環部
８ａ  磁石片
８ｂ  スペーサ材
９ａ  保持パイプ
９ｂ  保持パイプ
１０ａ  ドーナツ状底板
１０ｂ  ドーナツ状底板
【図１】
0003134832.tif 000003
【図２】
0003134832.tif 000004
【図３】
0003134832.tif 000005
【図４】
0003134832.tif 000006
【図５】
0003134832.tif 000007
【図６】
0003134832.tif 000008
【図７】
0003134832.tif 000009
【図８】
0003134832.tif 000010
【手続補正書】
【提出日】平成18年10月2日(2006.10.2)
【手続補正１】
【補正対象書類名】明細書
【補正対象項目名】００１６
【補正方法】変更
【補正の内容】
【００１６】
本考案の２のドア用ヒンジ装置によれば、前記設定角度を、簡単な構成で比較的狭い角度間隔に定めることが可能になる。またそれぞれの角度でのドアの停止を確実なものとすることができる。